(57)【要約】　　　（修正有）【課題】　各種支柱の周囲における雑草の繁茂を防止することができ、且つ、据付が容易な支柱用構造物を提供することにある。【解決手段】　支柱３１の地上に露出されている基部外周に複数個の構造物要素３，５を設置し、これら複数個の構造物要素によって上記支柱の基部外周部を遮蔽して雑草の繁茂を防止するようにしたものであり、それによって、支柱の基部であって地上に露出されている部分の外周を遮蔽することができ、その部分における雑草の繁茂を防止することができる。よって、その個所については草刈り機を使用した草刈りは不要となり、草刈り機の回転刃が支柱に衝突して損傷したり或いは作業の安全性が損なわれるといった従来の課題を解消することができる。【選択図】　図４
0003099623.tif 000002
【実用新案登録請求の範囲】
【請求項１】
支柱の地上に露出されている基部外周に複数個の構造物要素を設置し、これら複数個の構造物要素によって上記支柱の基部外周部を遮蔽して雑草の繁茂を防止するようにしたことを特徴とする支柱用構造物。
【請求項２】
請求項１記載の支柱用構造物において、
　上記構造物要素は、中空柱部と、上記中空柱部の下部に連接された鍔状部と、から構成されていることを特徴とする支柱用構造物。
【請求項３】
請求項２記載の支柱用構造物において、
　隣接する構造物要素の境界部にあって、一方の構造物要素の鍔状部には第１係合部が形成されていて、他方の構造物要素の鍔状部には上記第１係合部に上下方向から係合する第２係合部が形成されていて、これら第１係合部と第２係合部の係合によって隣接する構造物要素同士の境界部を段付状に遮蔽して雑草が繁茂する隙間をなくすようにしたことを特徴とする支柱用構造物。
【請求項４】
請求項３記載の支柱用構造物において、
　上記複数個の構造物要素の中空柱部の外周には固定用バンドが巻回されることを特徴とする支柱用構造物。
【請求項５】
請求項４記載の支柱用構造物において、
　上記構造物要素の鍔状部は支柱が設置されている地面の傾斜に応じてその形状が設定されていることを特徴とする支柱用構造物。
【請求項６】
請求項４記載の支柱用構造物において、
　上記構造物要素の中空柱部の内周側にはパッキンが内装されることを特徴とする支柱用構造物。
【請求項７】
請求項４記載の支柱用構造物において、
　２個の構造物要素から構成されていることを特徴とする支柱用構造物。
【請求項８】
請求項４記載の支柱用構造物において、
　コンクリート製であることを特徴とする支柱用構造物。　　　　
【考案の詳細な説明】
【技術分野】
【０００１】
　本発明は、例えば、ガードレールの支柱の基部に設置される支柱用構造部に係り、特に、支柱の基部を覆って雑草等が繁茂することを防止することができると共に既設の支柱に対しても容易に据え付けられるように工夫したものに関する。
【背景技術】
【０００２】
　ガードレールの構成を示すものとして、例えば、特許文献１がある。
【０００３】
【特許文献１】特開２００３―９６７３６号公報
【０００４】
　上記特開２００３―９６７３６号公報には、図１０に示すようなガードレールが開示されている。ガードレール２０１は、図１０(ａ)に示すように、所定のピッチで設置される複数本の支柱２０３と、これら複数本の支柱に取り付けられたガードレール板２０５とから構成されている。
【０００５】
　上記支柱２０３とガードレール板２０５の取付部は、図１０(ｂ)に示すような構成になっている。まず、ガードレール板２０５は、複数枚のガードレール板要素２０７を連接した構成になっており、隣接する２枚のガードレール板要素２０７の接合部は取付板２０９によって連接されている。すなわち、上記取付板２０９に複数組のボルト・ナット締結具２１１によって取り付けられている。又、上記取付板２０９はボルト・ナット締結具２１３によって支柱２０３に取り付けられている。
【０００６】
　ところで、上記支柱２０３は、その基部が地中において図示しない基礎構造物によって固定されており、その状態で地中に埋設されているものである。　
【考案の開示】
【考案が解決しようとする課題】
【０００７】
　上記従来の構成によると次のような問題があった。
　すなわち、従来のガードレールの場合には、支柱２０３の基部は地中に埋設されており、よって、地上に露出した部分の周囲は土面ｇとなっている。そのため、時間の経過と共に雑草が生い茂ってしまい、支柱２０３の基部が雑草によって覆い隠された状態になってしまう。
【０００８】
　雑草が生い茂った場合には、いわゆる草刈り機を使用してこれを除去する作業が行われることになるが、支柱２０が設置されている個所に関しては、草刈り機の回転刃が支柱２０３に当たって損傷してしまうために、草刈り機を使用した作業を行うことができないという問題があった。又、無理に草刈りを行おうとすれば、上記したように、草刈り機の回転刃を損傷させてしまうと共に作業の安全性が損なわれてしまうという問題があった。
　尚、この種の問題はガードレールの支柱に限らず、各種標識の支柱、フェンスの支柱等様々な支柱に対して共通していえることである。
【０００９】
　本考案はこのような点に基づいてなされたものでその目的とするところは、各種支柱の周囲における雑草の繁茂を防止することができ、且つ、既設の各種の支柱に対しても容易に据付が可能な支柱用構造物を提供することにある。
【課題を解決するための手段】
【００１０】
　上記目的を達成するべく本願考案の請求項１による支柱用構造物は、支柱の地上に露出されている基部外周に複数個の構造物要素を設置し、これら複数個の構造物要素によって上記支柱の基部外周部を遮蔽して雑草の繁茂を防止するようにしたことを特徴とするものである。
　又、請求項２による支柱用構造物は、請求項１記載の支柱用構造物において、上記構造物要素は、中空柱部と、上記中空柱部の下部に連接された鍔状部と、から構成されていることを特徴とするものである。
　又、請求項３による支柱用構造物は、請求項２記載の支柱用構造物において、隣接する構造物要素の境界部にあって、一方の構造物要素の鍔状部には第１係合部が形成されていて、他方の構造物要素の鍔状部には上記第１係合部に上下方向から係合する第２係合部が形成されていて、これら第１係合部と第２係合部の係合によって隣接する構造物要素同士の境界部を段付状に遮蔽して雑草が繁茂する隙間をなくすようにしたことを特徴とするものである。
　又、請求項４による支柱用構造物は、請求項３記載の支柱用構造物において、上記複数個の構造物要素の中空柱部の外周には固定用バンドが巻回されることを特徴とするものである。
　又、請求項５による支柱用構造物は、請求項４記載の支柱用構造物において、上記構造物要素の鍔状部は支柱が設置されている地面の傾斜に応じてその形状が設定されていることを特徴とするものである。
　又、請求項６による支柱用構造物は、請求項４記載の支柱用構造物において、上記構造物要素の中空柱部の内周側にはパッキンが内装されることを特徴とするものである。
　又、請求項７による支柱用構造物は、請求項４記載の支柱用構造物において、２個の構造物要素から構成されていることを特徴とするものである。
　又、請求項８による支柱用構造物は、請求項４記載の支柱用構造物において、コンクリート製であることを特徴とするものである。　　　　
【００１１】
　すなわち、本願考案による支柱用構造物は、支柱の地上に露出されている基部外周に複数個の構造物要素を設置し、これら複数個の構造物要素によって上記支柱の基部外周部を遮蔽して雑草の繁茂を防止するようにしたものであり、それによって、支柱の基部の周囲を遮蔽して雑草の繁茂を防止しようとするものである。
　その際、構造物要素を、中空柱部と、上記中空柱部の下部に連接された鍔状部とから構成することが考えられ、上記鍔状部によって比較的広範囲を遮蔽して雑草の繁茂を防止することができる。
　又、隣接する構造物要素の境界部にあって、一方の構造物要素の鍔状部に第１係合部を形成し、他方の構造物要素の鍔状部に上記第１係合部に上下方向から係合する第２係合部を形成し、これら第１係合部と第２係合部の係合によって隣接する構造物要素同士の境界部を段付状に遮蔽して雑草が繁茂する隙間をなくすように構成することが考えられ、それによって、単に複数個の構造物要素を合わせる場合に比べて遮蔽効果を高めることができる。
　又、複数個の構造物要素の中空柱部の外周に固定用バンドを巻回することが考えられ、それによって、構造物要素相互間の隙間をなくして遮蔽効果を高めることができる。
　又、構造物要素の鍔状部の形状を支柱が設置されている地面の傾斜に応じて設定することが考えられ、それによって、様々な地形に対応することができる。
　又、構造物要素の中空柱部の内周側にパッキンを内装することが考えられ、それによって、支柱外周部の隙間の遮蔽効果を高めることができる。
　尚、構造物要素の個数は任意であるが、例えば、２個の場合が想定される。
　又、構造物要素の材質もこれを特に限定するものではないが、例えば、コンクリート製とすることが考えられる。
【考案の効果】
【００１２】
　以上詳述したように本考案による支柱用構造物によると、支柱の基部であって地上に露出されている部分の外周を遮蔽することができるので、その部分における雑草の繁茂を防止することができる。よって、その個所については草刈り機を使用した草刈りは不要となり、草刈り機の回転刃が支柱に衝突して損傷したり或いは作業の安全性が損なわれるといった従来の課題を解消することができる。
　又、支柱用構造物は、複数個の構造物要素から構成されているので、例えば、既設のガードレールの支柱等に対しても後付けにて対応することができる。
　又、地面に設置される部分を鍔状部とした場合には、比較的広範囲を遮蔽して雑草の繁茂を防止することができる。
　又、第１係合部と第２係合部とによる係合構造を採用した場合には、隣接する構造物要素同士の境界部を段付状態にて遮蔽することができ、それによって、隣接する構造物要素同士の境界部からの雑草の繁茂をより確実に防止することができる。
　又、複数個の構造物要素の中空柱部の外周に固定用バンドを巻回するようにした場合には、より強固な固定状態を得ることができると共に、隙間をより確実に遮蔽して、雑草の繁茂をより確実に防止することができる。
　又、構造物要素の鍔状部の形状を支柱が設置されている地面の傾斜に応じて設定するようにした場合は、様々な状況の地面に対して対応することが可能になる。
　又、構造物要素の中空柱部の内周側にパッキンを内装した場合には、それによって、支柱外周部の隙間の遮蔽効果を高めることができる。　
【考案を実施するための最良の形態】
【００１３】
　以下、図１乃至図４を参照して本考案の第１の実施の形態を説明する。図１(ａ)は本実施の形態による支柱用構造物の平面図であり、図１(ｂ)は図１(ａ)のｂ−ｂ矢視図である。まず、支柱用構造物１は、２個の構造物要素３、５とから構成されている。これら２個の構造物要素３、５を合わせて支柱用構造物１を構成している。上記構造物要素３、５はコンクリート製である。
【００１４】
　上記構造物要素３は、図２に示すような構成になっている。まず、全体として半円形状をなしていて、中空柱部７と鍔状部９とから構成されている。上記中空柱部７と鍔状部９の中心部には半円形状の貫通孔１１が形成されている。又、上記鍔状部９の端部には係合部１３が形成されている。
【００１５】
　一方、上記構造物要素５は、図３に示すような構成になっている。まず、全体として半円形状をなしていて、中空柱部１５と鍔状部１７とから構成されている。上記中空柱部１５と鍔状部１７の中心部には半円形状の貫通孔１９が形成されている。又、上記鍔状部１７の端部には係合部２１が形成されている。
【００１６】
　上記構成をなす構造物要素３と構造物要素５とを合わせることにより図１に示すような支柱用構造物１となる。そして、夫々の構造物要素３、５の中空柱部７、１５の外周にはステンレス製の固定バンド２３が巻回されることになる。
【００１７】
　以上の構成を基にその作用を説明する。
　図４に示すように、ガードレールの支柱３１の基部であって地面Ｇより露出した部分の外周に、構造物要素３と構造物要素５を合わせるように設置する。構造物要素３の半円形状貫通孔１１と構造物要素５の半円形状貫通孔１９とによって形成された円形貫通孔内に支柱３１が位置することになる。
　尚、上記支柱３１にはガードレール板３３が取り付けられている。
【００１８】
　又、その際、構造物要素３の係合部１３と構造物要素５の係合部２１を係合させて、両者の隙間を段付状態にて遮蔽する。又、構造物要素３の中空柱部７と構造物要素５の中空柱部１５の外周に固定用バンド２３を巻回する。
　以上の作業によって支柱用構造物１の据付が完了する。
【００１９】
　以上本実施の形態によると次のような効果を奏することができる。
　まず、支柱３１の基部であって地面Ｇから上に露出されている部分の外周を支柱用構造物１によって遮蔽することができるので、その部分における雑草の繁茂を防止することができる。よって、その個所については草刈り機を使用した草刈りは不要となり、草刈り機の回転刃が支柱３１に衝突して損傷したり或いは作業の安全性が損なわれるといった従来の課題を解消することができる。
　又、支柱用構造物１は、２個の構造物要素３、５から構成されているので、例えば、既設のガードレールの支柱３１等に対しても後付けにて対応することができる。
　又、構造物要素３、５の地面Ｇに設置される部分を鍔状部９、１７としているので、支柱３１の周囲の比較的広範囲を遮蔽して雑草の繁茂を防止することができる。
　又、係合部１３と係合部２１とによる係合構造を採用しているので、構造物要素３、５同士の境界部を段付状態にて遮蔽することができ、それによって、遮蔽効果を高めて構造物要素３、５同士の境界部からの雑草の繁茂をより確実に防止することができる。
　又、構造物要素３、５の中空柱部７、１５の外周に固定用バンド２３を巻回するようにしたので、より強固な固定状態を得ることができると共に、構造物要素３、５相互間の隙間をより確実に遮蔽して、雑草の繁茂をより確実に防止することができる。
【００２０】
　次に、図５乃至図７を参照して本考案の第２の実施の形態を説明する。前記第１の実施の形態の場合には、構造物要素３、５の形状を半円形状とし、支柱用構造物１の形状を円形としたが、この第２の実施の形態の場合は、これを四角形としたものである。
　その他の構成は前記第１の実施の形態の場合と同じであるので、同一部分には同一符号を付して示しその説明は省略する。
【００２１】
　したがって、この第２の実施の形態の場合にも前記第１の実施の形態の場合と同様の効果を奏することができるものである。
【００２２】
　次に、図８及び図９を参照して本考案の第３の実施の形態を説明する。通常、ガードレールが設置される場所は道路の端であり、よって、ガードレールの外側は崖状になっていることが多い。又、そのような崖状になっている個所が時間変化によって更に欠けて、支柱の近くにまで傾斜面が達してしまうようなことがある。この第３の実施の形態の場合には、そのような場合も効果的に対応しようとするものである。
【００２３】
　まず、構造物要素５は、その鍔状部９の底面が平坦面ではなく、傾斜面１０１となっている。これは、傾斜した地面Ｇに対応しようとするものである。
　その他の構成は前記第１、第２の実施の形態の場合と同様であり、同一部分には同一符号を付して示しその説明は省略する。
【００２４】
　そして、図９に示すように、支柱３１の図９中右側の地面Ｇが大きく傾斜した面になっており、そこに構造物要素５の傾斜面１０１を接地させるものである。それによって、支柱３１の近くに大きな傾斜面が存在するような場合にも効果的に対応することができるものである。
【００２５】
　尚、本発明は前記第１〜第３の実施の形態に限定されるものではない。
　まず、前記各実施の形態では、支柱用構造物の材質をコンクリート製としたが、それ以外にもある程度重量があるものであれば様々な材質が想定される。例えば、石、金属、或いは樹脂製容器内に水を充填したようなものも想定される。
　前記各実施の形態では、支柱用構造物を２個の構造物要素から構成したが、これを３個以上の構造物要素から構成することも考えられる。
　又、固定用バンドが締められる個所を環状の溝とすることも想定される。それによって、固定用バンドの不用意な離脱を防止することができる。
　又、支柱が貫通・配置される部分に、例えば、ゴム製パッキンを介在させて、隙間の遮蔽効果を高めることも考えられる。
　又、前記第１〜第３の実施の形態では、ガードレール用の円形の支柱を例に挙げて説明したが、それ以外にも、標識の支柱、フェンスの支柱等さまざまな支柱に適用可能である。
　又、支柱の形状としても円形に限らず、三角形、四角形等様々な形状が想定され、それに合わせて貫通孔の形状を決定すればよい。
　その他、各部の形状等はあくまで一例である。
【産業上の利用可能性】
【００２６】
　本発明は、例えば、ガードレールの支柱の基部に設置される支柱用構造部として適用可能であり、その他、各種標識等の支柱、各種フェンス等の支柱の基部に設置される支柱用構造部として適用可能である。
【図面の簡単な説明】
【００２７】
【図１】本考案の第１の実施の形態を示す図で、図１(ａ)は支柱用構造物の平面図、図１(ｂ)は図１(ａ)のｂ−ｂ矢視図である。
【図２】本考案の第１の実施の形態を示す図で、図２(ａ)は支柱用構造物要素の平面図、図２(ｂ)は図２(ａ)のｂ−ｂ矢視図、図２(ｃ)は図２(ａ)のｃ−ｃ矢視図である。
【図３】本考案の第１の実施の形態を示す図で、図３(ａ)は支柱用構造物要素の平面図、図３(ｂ)は図３(ａ)のｂ−ｂ矢視図、図３(ｃ)は図３(ａ)のｃ−ｃ矢視図である。
【図４】本考案の第１の実施の形態を示す図で、支柱の基部外周に支柱用構造物を設置した状態を示す正面図である。
【図５】本考案の第２の実施の形態を示す図で、図５(ａ)は支柱用構造物の平面図、図５(ｂ)は図５(ａ)のｂ−ｂ矢視図である。
【図６】本考案の第２の実施の形態を示す図で、図６(ａ)は支柱用構造物要素の平面図、図６(ｂ)は図６(ａ)のｂ−ｂ矢視図、図６(ｃ)は図６(ａ)のｃ−ｃ矢視図である。
【図７】本考案の第２の実施の形態を示す図で、図７(ａ)は支柱用構造物要素の平面図、図７(ｂ)は図７(ａ)のｂ−ｂ矢視図、図７(ｃ)は図７(ａ)のｃ−ｃ矢視図である。
【図８】本考案の第３の実施の形態を示す図で、図８(ａ)は支柱用構造物の平面図、図８(ｂ)は図８(ａ)のｂ−ｂ矢視図である。
【図９】本考案の第３の実施の形態を示す図で、支柱の基部外周に支柱用構造物を設置した状態を示す正面図である。
【図１０】従来例を示す図で、図１０(ａ)はガードレールの構成を示す正面図、図１０(ｂ)は図１０(ａ)のｂ部を拡大して反対側から示す図である。
【符号の説明】
【００２８】
　１　支柱用構造物
　３　構造物要素
　５　構造物要素
　７　中空柱部
　９　鍔状部
　１１　半円形貫通孔
　１３　係合部
　１５　中空柱部
　１７　鍔状部
　１９　半円形貫通孔
　２１　係合部
　２３　固定用バンド
　３１　支柱
　３３　ガードレール板
　１０１　傾斜面
　
　
　
【図４】
0003099623.tif 000003
【図９】
0003099623.tif 000004
【図１】
0003099623.tif 000005
【図２】
0003099623.tif 000006
【図３】
0003099623.tif 000007
【図５】
0003099623.tif 000008
【図６】
0003099623.tif 000009
【図７】
0003099623.tif 000010
【図８】
0003099623.tif 000011
【図１０】
0003099623.tif 000012